(57)【特許請求の範囲】
【請求項１】
個別商品である小箱を所定個数まとめて収納した状態で別の搬送用の段ボール箱に入れて梱包される段ボール箱であって、前面パネル、背面パネル、両側面パネル及び底部を備え、上面が開放した直方体形状をしており、前面パネルの左右両辺に側面パネルが連設され、下辺には底部形成用フラップが連設され、各々の側面パネルの下辺にはそれぞれ底部形成用フラップが連設され、前面パネルには上部から切り取られた形状の窓部が形成されてなる前方パーツと、背面パネルの左右両辺に接着パネルが連設され、下辺には底部形成用フラップが連設され、上辺には折返し可能な表示パネルが連設されてなる後方パーツとを組み立てて作製され、両側面パネルは上辺で小幅の接続パネルを介して折り返された内側パネルを備え、かつ内側パネルの領域に打抜き形成された把持用の取っ手を上辺から突き出る状態で有しており、しかも積み重ねた時に下の段ボール箱の取っ手が嵌入可能なスリットを側面パネルの下部に有しており、さらに、内側パネルにはその先端に取っ手と同じかそれより大きな切欠が形成されていることを特徴とする同梱ディスプレイ用段ボール箱。
【請求項２】
背面パネルと表示パネルの両者を裏側で橋渡しして固定することで表示パネルを立てた状態で保持するための背板を有することを特徴とする請求項１に記載の同梱ディスプレイ用段ボール箱。
【発明の詳細な説明】
【０００１】
【発明の属する技術分野】
本発明は、複数の商品を梱包する段ボール箱であって、その段ボール箱に入れたまま店頭に陳列して中の商品を販売するのに用いられる同梱ディスプレイ用段ボール箱に関するものである。
【０００２】
【従来の技術】
従来、スーパーやディスカウントストアなどでは、段ボール箱にまとめて収納した状態で搬送されてきた商品を取り出して棚に並べ替えることはせず、段ボール箱の一部を開けて中の商品を取り出せるようにし、そのままの状態で店頭に陳列して販売することが行われている。この場合、カーターナイフで段ボール箱の一部を切り取ったり、予め段ボール箱に設けられているジッパーの部分で破断したりして、中の商品を取り出せるようにしている。
【０００３】
【発明が解決しようとする課題】
上記した販売形態は、段ボール箱から商品を取り出さないで段ボール箱のまま店頭に並べるので、手間がかからないという利点がある。しかしながら、その段ボール箱は通常の搬送用の段ボール箱であるため、外側に印刷が施してあるだけで、店頭に並べた場合にディスプレイ効果に乏しく、また積み重ねると不安定であり、下の段ボール箱からは商品を取り出せないという問題点がある。
【０００４】
本発明は、上記のような問題点に鑑みてなされたものであり、その目的とするところは、店頭にてのディスプレイ効果が大きく、また積み重ねた場合に崩れることがなく、しかも下の方からも取り出すことができるように工夫した同梱ディスプレイ用段ボール箱を提供することにある。
【０００５】
【課題を解決するための手段】
上記の目的を達成するため、本発明の同梱ディスプレイ用段ボール箱は、個別商品である小箱を所定個数まとめて収納した状態で別の搬送用の段ボール箱に入れて梱包される段ボール箱であって、前面パネル、背面パネル、両側面パネル及び底部を備え、上面が開放した直方体形状をしており、前面パネルの左右両辺に側面パネルが連設され、下辺には底部形成用フラップが連設され、各々の側面パネルの下辺にはそれぞれ底部形成用フラップが連設され、前面パネルには上部から切り取られた形状の窓部が形成されてなる前方パーツと、背面パネルの左右両辺に接着パネルが連設され、下辺には底部形成用フラップが連設され、上辺には折返し可能な表示パネルが連設されてなる後方パーツとを組み立てて作製され、両側面パネルは上辺で小幅の接続パネルを介して折り返された内側パネルを備え、かつ内側パネルの領域に打抜き形成された把持用の取っ手を上辺から突き出る状態で有しており、しかも積み重ねた時に下の段ボール箱の取っ手が嵌入可能なスリットを側面パネルの下部に有しており、さらに、内側パネルにはその先端に取っ手と同じかそれより大きな切欠が形成されていることを特徴とする。
【０００６】
そして、背面パネルと表示パネルの両者を裏側で橋渡しして固定することで表示パネルを立てた状態で保持するための背板を有するのが好ましい。
【０００７】
【発明の実施の形態】
以下、図面を参照しながら本発明の実施形態について説明する。
【０００８】
図１は本発明に係る同梱ディスプレイ用段ボール箱の一例を斜め前方から見た状態で示す斜視図、図２は同じく斜め後方から見た状態で示す斜視図であり、この段ボール箱は図３に示す前方パーツと図４に示す後方パーツとを組み立てて作製されている。
【０００９】
図３に示される前方パーツＡは、前面パネル１０の左右両辺に側面パネル１１，１２が連設され、下辺には底部形成用フラップ１３が連設されている。前面パネル１０には、上部から切り取られた形状の大きな窓部１０ａが形成されている。各々の側面パネル１１，１２の上辺にはそれぞれ小幅の接続パネル１４，１５を挟んで内側パネル１６，１７が連設され、下辺にはそれぞれ底部形成用フラップ１８，１９が連設されている。側面パネル１１，１２の上辺には取っ手１１ａ，１２ａが設けられている。すなわち、取っ手１１ａ，１２ａとなる部分が内側パネル１６，１７の領域に打抜き形成されている。また、内側パネル１６，１７の先端には取っ手１１ａ，１２ａと同じかそれより大きな切欠１６ａ，１７ａが形成されている。側面パネル１１，１２の下辺中央にはコ字型の大打抜き部１１ｂ，１２ｂが形成され、大打抜き部１１ｂの両側には小打抜き部１１ｃが、大打抜き部１２ｂ両側には小打抜き部１２ｃが形成されている。内側パネル１６の先端の切欠１６ａの両側にはコ字型の小突起１６ｂが形成され、内側パネル１７の先端の切欠１７ａの両側にはコ字型の小突起１７ｂが形成されている。
【００１０】
図４に示される後方パーツＢは、背面パネル２０の左右両辺に接着パネル２１，２２が連設され、下辺には底部形成用フラップ２３が連設され、上辺には表示パネル２４が連設されている。また、表示パネル２４の裏側には、別部材からなる背板３０がその取付部３１で貼り付けられている。この背板３０は、取付部３１から下がフラップ３２として罫線αのところで折曲げ可能であり、そのフラップ３２の裏側に両面粘着テープ３３が取り付けられている。
【００１１】
前方パーツＡと後方パーツＢにより図１及び図２に示す段ボール箱Ｄを組み立てる手順は次のようである。
【００１２】
まず、前方パーツＡにおける前面パネル１０の左右両辺を後方に向けて直角に折り曲げる。一方、後方パーツＢにおける背面パネル２０の左右両辺を前方に向けて直角に折り曲げる。そして、後方パーツＢの接着パネル２１，２２を前方パーツＡの側面パネル１１，１２の内面端部に貼り付けることで、前面パネル１０、両側面パネル１１，１２、背面パネル２０を角筒状にする。このように角筒状にしてからまず底部を形成する。この場合、底部形成用フラップ１３，１８，１９，２３はスナップロックの構造になっているので、接着剤等を用いることなく、簡単に底部を形成することができる。
【００１３】
次いで、側面パネル１１，１２の上方にある内側パネル１６，１７を内側に折り返す。この時、両者の間に小幅の接続パネル１４，１５があるので、内側パネル１６，１７を側面パネル１１，１２に対し１８０度で折り返すことができる。そして、底部を形成した時の底部フラップ１８，１９の折曲げにより、小打抜き部１１ｃ，１２ｃのところにスリットが形成されているので、ここに内側パネル１６，１７の先端の小突起１６ｂ，１７ｂをそれぞれ差し込んで、内側パネル１６，１７を固定する。このように、両側面パネル１１，１２は、小幅の接続パネル１４，１５を介して折り返された内側パネル１６，１７を備えたものとなり、段ボール箱の両側面は二重壁構造となる。
【００１４】
なお、前面パネル１０、両側面パネル１１，１２の外側が印刷面となるように、また表示パネル２４の前面側が印刷面となるようにし、これらの露出面に宣伝等の印刷を施してディスプレイ効果を高めるようにするのがよい。
【００１５】
次に、上記構成からなる同梱ディスプレイ用段ボール箱Ｄの使用方法の一例を説明する。
【００１６】
工場からの出荷に際しては、図５に示すように、本発明の段ボール箱Ｄの中に個別商品である小箱ｄを所定個数まとめて収納し、表示パネル２４を後側に折り返した状態で別の搬送用の段ボール箱Ｃに入れ、梱包して搬送する。
【００１７】
店頭では次のようにして陳列状態にする。まず、図６に示すように、搬送用の段ボール箱Ｃを開封し、両サイドの取っ手１１ａ，１２ａを持って段ボールＤを引き出す。次いで、図７に示すように、表示パネル２４を起こし、背板３０の裏側にある両面テープ３３の離型紙を剥がして粘着面を露出させ、表示パネル２４を背面パネル２０に対して真っ直ぐにした状態で、背板３０のフラップ３２を背面パネル２０に貼り付け、背面パネル２０と表示パネル２４の両者を裏側で橋渡しして固定する。これにより、図８に示すように、個別商品ｄが取り出せる状態で、しかも表示パネル２４が起きた状態となる。
【００１８】
本発明の段ボール箱を積み重ねて陳列する場合は次のようにする。すなわち、図９に示すように、２つの段ボール箱Ｄを重ねるが、各段ボール箱Ｄにおける側面パネル１１，１２の下辺にはコ字型の大打抜き部１１ｂ，１２ｂによりスリットが形成されているので、下段の段ボール箱Ｄの取っ手１１ａ，１２ａが上段の段ボール箱Ｄのスリットに嵌入するようにして積み上げる。さらに、図１０に示すように、上段の段ボール箱Ｄにおける表示パネル２４の背板３０を下段の段ボール箱Ｄにおける表示パネル２４の裏側に貼り付ける。これにより、図１１に示すように、下段の段ボール箱Ｄに入っている個別商品ｄも取り出せる状態で、上下の段ボール箱Ｄをしっかりと固定した状態にすることができる。
【００１９】
以上、本発明の実施の形態に基づいて詳細に説明してきたが、本発明による同梱ディスプレイ用段ボール箱は、上記した実施の形態に何ら限定されるものではなく、本発明の趣旨を逸脱しない範囲において種々の変更が可能であることは当然のことである。
【００２０】
【発明の効果】
本発明は上記のように構成されているので、次に記載の効果を奏する。
【００２１】
請求項１に記載の発明である同梱ディスプレイ用段ボール箱は、個別商品である小箱を所定個数まとめて収納した状態で別の搬送用の段ボール箱に入れて梱包される段ボール箱であって、前面パネル、背面パネル、両側面パネル及び底部を備え、上面が開放した直方体形状をしており、前面パネルの左右両辺に側面パネルが連設され、下辺には底部形成用フラップが連設され、各々の側面パネルの下辺にはそれぞれ底部形成用フラップが連設され、前面パネルには上部から切り取られた形状の窓部が形成されてなる前方パーツと、背面パネルの左右両辺に接着パネルが連設され、下辺には底部形成用フラップが連設され、上辺には折返し可能な表示パネルが連設されてなる後方パーツとを組み立てて作製され、両側面パネルは上辺で小幅の接続パネルを介して折り返された内側パネルを備え、かつ内側パネルの領域に打抜き形成された把持用の取っ手を上辺から突き出る状態で有しており、しかも積み重ねた時に下の段ボール箱の取っ手が嵌入可能なスリットを側面パネルの下部に有しており、さらに、内側パネルにはその先端に取っ手と同じかそれより大きな切欠が形成されていることを特徴としているので、陳列時に表示パネルを立てた状態とすることで店頭にてのディスプレイ効果が大きくなるという効果があり、また前面パネルに窓部を設けてあることにより、積み重ねた状態で下段の段ボール箱からも個別商品を取り出すことができる。
【００２２】
請求項２に記載の発明である同梱ディスプレイ用段ボール箱は、請求項１に記載の同梱ディスプレイ用段ボール箱において、背面パネルと表示パネルの両者を裏側で橋渡しして固定することで表示パネルを立てた状態で保持するための背板を有する構成としたことにより、上記の効果に加えて、積み重ねた状態で確実に固定できるので、店頭にて崩れる心配がない。
【図面の簡単な説明】
【図１】本発明に係る同梱ディスプレイ用段ボール箱の一例を斜め前方から見た状態で示す斜視図である。
【図２】図１に示した同梱ディスプレイ用段ボール箱を斜め後方から見た状態で示す斜視図である。
【図３】図１及び図２に示す同梱ディスプレイ用段ボール箱を構成する前方パーツの展開図である。
【図４】図１及び図２に示す同梱ディスプレイ用段ボール箱を構成する後方パーツの展開図である。
【図５】個別商品を所定個数まとめて収納した同梱ディスプレイ用段ボール箱を別の搬送用段ボール箱に入れる様子を示す説明図である。
【図６】個別商品を所定個数まとめて収納した同梱ディスプレイ用段ボール箱を搬送用段ボール箱から引き出す様子を示す説明図である。
【図７】表示パネルを立てた状態にする説明図である。
【図８】陳列状態とした同梱ディスプレイ用段ボール箱を示す斜視図である。
【図９】個別商品を収納した同梱ディスプレイ用段ボール箱を積み重ねるやり方を示す説明図である。
【図１０】積み重ねた同梱ディスプレイ用段ボール箱を固定するやり方を示す説明図である。
【図１１】陳列状態とした同梱ディスプレイ用段ボール箱を積み重ねた様子を示す斜視図である。
【符号の説明】
Ａ  前方パーツ
Ｂ  後方パーツ
Ｃ  搬送用段ボール箱
Ｄ  同梱ディスプレイ用段ボール箱
１０  前面パネル
１１，１２  側面パネル
１１ａ，１２ａ  取っ手
１１ｂ，１２ｂ  大打抜き部
１１ｃ，１２ｃ  小打抜き部
１３  底部形成用フラップ
１４  ，１５  接続パネル
１６，１７  内側パネル
１６ａ，１７ａ  切欠
１６ｂ，１７ｂ  小突起
１８，１９  底部形成用フラップ
２０  背面パネル
２１，２２  接着パネル
２３  底部形成用フラップ
２４  表示パネル
３０  背板
３１  取付部
３２  フラップ
３３  両面粘着テープ
【図１】
0004519262.tif 000002
【図２】
0004519262.tif 000003
【図３】
0004519262.tif 000004
【図４】
0004519262.tif 000005
【図５】
0004519262.tif 000006
【図６】
0004519262.tif 000007
【図７】
0004519262.tif 000008
【図８】
0004519262.tif 000009
【図９】
0004519262.tif 000010
【図１０】
0004519262.tif 000011
【図１１】
0004519262.tif 000012